(57)【要約】【課題】袋体への着脱が容易であり、吊り下げ状態にある袋体内の物品を一定姿勢で安定に保持することができる結束具を提供する。【解決手段】結束具１０は、袋体の一つであるレジ袋１の束ねた部分２が挿通可能な開口部１１を有する円環状の枠状体１２と、枠状体１２の外周に開口部１１の拡径方向に突設されたフランジ部１３と、を備えている。開口部１１を貫通する方向から見た開口部１１の形状は円形状であり、開口部１１を貫通する方向から見たフランジ部１３の形状は不等辺六角形状である。フランジ部１３の一部には、キーホルダなどの連結環を挿通可能な貫通孔１４が開設されている。【選択図】図３
2019011078.tif 000002
【特許請求の範囲】
【請求項１】
袋体の束ねた部分が挿通可能な開口部を有する枠状体と、前記枠状体の外周の少なくとも一部に前記開口部の拡径方向に突設されたフランジ部と、を備えた結束具。
【請求項２】
前記開口部を貫通する方向から見た前記フランジ部の形状が多角形状、円形状、楕円形状、卵形状若しくは長円形状である請求項１記載の結束具。
【請求項３】
前記開口部を貫通する方向から見た前記開口部の形状が、円形状、楕円形状、長円形状、卵形状若しくは多角形状である請求項１または２記載の結束具。
【請求項４】
前記フランジ部に、前記開口部より内径の小さい貫通孔を有する請求項１〜３の何れかに記載の結束具。
【請求項５】
前記結束具の材質が、金属、天然石、セラミックス、合成樹脂、木材のうちの何れか１以上である請求項１〜４の何れかに記載の結束具。
【発明の詳細な説明】
【技術分野】
【０００１】
本発明は、レジ袋などの袋体の束ねた部分に装着して、袋体の袋口を閉じるための結束具に関する。
【背景技術】
【０００２】
コンビニエンスストアやスーパーマーケットなどの小売店において購入した商品はレジ袋に入れ、購入者はレジ袋の手提げ部を手で握って吊り下げた状態で持ち帰ったり、運んだりすることが多い。しかしながら、商品の形状や大きさなどによっては、吊り下げられたレジ袋内の商品が安定した状態を保つことが困難となることがある。
【０００３】
また、弁当やトレー形状の容器に収容された食品類などは、吊り下げられたレジ袋内において水平姿勢を保つことが要請されるので、これに適したレジ袋も開発されているが、移動中に水平姿勢が崩れることがあるのが実状である。
【０００４】
一方、本発明に関連する従来技術として、例えば、特許文献１に記載された「袋用封止具」がある。この「袋用封止具」は、束ねるようにして閉じた状態の袋の袋口を封止するための封止具であって、リング状の枠体と、可撓性を有し枠体の内側に向けて突設され、袋口を枠体に挿通したときにその袋口に押されて撓み、その袋口を封止する可撓片と、を具備したものである。
【０００５】
特許文献１に記載された「袋用封止具」を使用する場合、束ねた袋口をリング状の枠体に挿通し、当該袋用封止具を袋底に向かって押し込めば、袋口を封止することができる。また、封止後は、枠体の内側に向けて突設された可撓片が、束ねた袋口に押されて反り曲がった形状に撓んで袋口を押圧するので、袋用封止具が袋口から外れる方向へ移動するのを防止することができる。
【先行技術文献】
【特許文献】
【０００６】
【特許文献１】特開平９−７７０９５号公報
【発明の概要】
【発明が解決しようとする課題】
【０００７】
前述したように、特許文献１に記載された「袋用封止具」は、束ねた袋口に装着した袋用封止具が袋口から外れる方向へ移動するのを防止する機能を有するので、ゴミ出し場所へ搬入するときのごみ袋のように、封止後の袋口を再開封することが殆どない袋に対して好適に使用することができる。
【０００８】
しかしながら、レジ袋のように、一旦閉じた後、袋内の商品を取り出すために袋口を開く必要がある袋に対して前記「袋用封止具」を使用すると、再開封作業が極めて困難となるという問題がある。
【０００９】
そこで、本発明が解決しようとする課題は、袋体への着脱が容易であり、吊り下げ状態にある袋体内の物品を一定姿勢で安定に保持することができる結束具を提供することにある。
【課題を解決するための手段】
【００１０】
本発明の結束具は、袋体の束ねた部分が挿通可能な開口部を有する枠状体と、前記枠状体の外周の少なくとも一部に前記開口部の拡径方向に突設されたフランジ部と、を備えたことを特徴とする。
【００１１】
ここで、前記結束具においては、前記開口部を貫通する方向から見た前記フランジ部の形状が多角形状、円形状、楕円形状、卵形状若しくは長円形状であることが望ましい。
【００１２】
また、前記結束具においては、前記開口部を貫通する方向から見た前記開口部の形状が、円形状、楕円形状、長円形状、卵形状若しくは多角形状であることが望ましい。
【００１３】
さらに、前記結束具においては、前記フランジ部に、前記開口部より内径の小さい貫通孔を設けることができる
【００１４】
一方、前記結束具の材質は、金属、天然石、セラミックス、合成樹脂、木材のうちの何れか１以上であることが望ましい。
【発明の効果】
【００１５】
本発明により、袋体への着脱が容易であり、吊り下げ状態にある袋体内の物品を一定姿勢で安定に保持することができる結束具を提供することができる。
【図面の簡単な説明】
【００１６】
【図１】本発明の実施形態である結束具を示す正面図である。
【図２】図１中の矢線Ａ方向から見た結束具の一部切欠底面図である。
【図３】図１に示す結束具の使用状態を示す斜視図である。
【図４】図１に示す結束具の使用状態を示す斜視図である。
【図５】本発明のその他の実施形態である結束具を示す正面図である。
【図６】本発明のその他の実施形態である結束具を示す正面図である。
【図７】本発明のその他の実施形態である結束具を示す正面図である。
【図８】本発明のその他の実施形態である結束具を示す正面図である。
【図９】本発明のその他の実施形態である結束具を示す正面図である。
【図１０】図９中のＢ−Ｂ線における断面図である。
【図１１】本発明のその他の実施形態である結束具を示す正面図である。
【図１２】本発明のその他の実施形態である結束具を示す正面図である。
【図１３】本発明のその他の実施形態である結束具を示す正面図である。
【図１４】本発明のその他の実施形態である結束具を示す正面図である。
【図１５】本発明のその他の実施形態である結束具を示す正面図である。
【発明を実施するための形態】
【００１７】
以下、図１〜図１５に基づいて、本発明の実施形態である結束具１０，２０，３０，４０，５０，６０，７０，８０，９０，１００，１１０について説明する。
【００１８】
初めに、図１〜図４に基づいて、結束具１０について説明する。図１〜図３に示すように、結束具１０は、袋体の一つであるレジ袋１の束ねた部分２が挿通可能な開口部１１を有する円環状の枠状体１２と、枠状体１２の外周に開口部１１の拡径方向に突設されたフランジ部１３と、を備えている。開口部１１を貫通する方向（図２中の矢線Ｘ方向）から見た開口部１１の形状は円形状である。なお、レジ袋１は、持ち帰り商品を入れるためにレジで渡されるポリオレフィンなどの素材で作られた袋体を指す通称である。
【００１９】
開口部１１を貫通する方向から見たフランジ部１３の形状は不等辺六角形状である。具体的には、枠状体１２の周りを囲むように、３つの長辺部１３ａと３つの短辺部１３ｂとが交互に配列された不等辺六角形状をなしている。換言すると、正三角形の３つの角部をそれぞれの角部と対向する辺と平行な直線で切除したような形状をなしている。
【００２０】
３つの長辺部１３ａは互いに同じ長さであり、それぞれ開口部１１の拡径方向（開口部１１の軸心１１ａから離れる方向）に凸をなす円弧形状である。３つの短辺部１３ｂも互いに同じ長さであり、それぞれ直線形状をなしている。短辺部１３ｂの長さは長辺部１３ａの長さの約２０％〜２１％程度であるが、これに限定するものではない。
【００２１】
図１に示すように、フランジ部１３の一部（一つの短辺部１３ｂの近傍）には、開口部１１より内径の小さい貫通孔１４が開設されている。貫通孔１４は、フランジ部１３の一部を厚さ１３ｔ方向（開口部１１の軸心１１ａ方向）に貫通している。
【００２２】
図２に示すように、フランジ部１３の外周部分は、開口部１１の軸心１１ａから離れるに連れて徐々に薄くなっていくとともに滑らかに尖った曲面形状をなしている。枠状体１２の厚さ１２ｔは、フランジ部１３の最大厚さ（枠状体１２の外周１２ａに最も近い部分の厚さ）１３ｔより大である。
【００２３】
本実施形態の結束具１０の材質は金属（例えば、スチール、ステンレスなど）であるが、これに限定するものではないので、天然石、セラミックス、合成樹脂、木材などその他の素材を採用することもできるが、比重の大きな素材を採用すれば、後述する図３，図４に示すようにレジ袋１に装着したとき、より安定した係止状態を得ることができる。
【００２４】
本実施形態の結束具１０において、フランジ部１３の最大外径は約６４ｍｍであり、開口部１１の内径は３５ｍｍであり、フランジ部１３の最大厚さ１３ｔは約６．５ｍｍであり、枠状体１２の厚さ１２ｔは約８．５ｍｍであり、貫通孔１４の内径は約３ｍｍであるが、これらのサイズに限定するものではない。
【００２５】
次に、図３に基づいて、結束具１０の使い方について説明する。図３に示すように、物品５が収容されたレジ袋１の束ねた部分２を、その手提げ部３，３側から、結束具１０の開口部１１に挿通し、レジ袋１内の空気を抜きながら結束具１０をレジ袋１の底部４に向かって移動させ、任意の部分（例えば、物品５の直上部分など）で結束具１０から手を離せば、その位置にて結束具１０は自重により束ねた部分２に係止される。これにより、レジ袋１の袋口側の束ねた部分２は巾着状に閉止され、レジ袋１内の物品５はレジ袋１によって全体が包まれた状態となり、動かないように拘束されるので、手提げ部３，３を手で握ってレジ袋１を吊り下げたとき、吊り下げ状態にあるレジ袋１内の物品５を一定姿勢に安定保持することができる。
【００２６】
従って、物品５が、弁当やトレー状容器に入れられた食品類のように比較的フラットな形状のものであっても、レジ袋１内の物品５を水平姿勢に保持することが可能であり、移動中、弁当内の食べ物が片寄りしたり、混じり合ったりするのを防止することができる。また、手提げ部３，３を手で握ってレジ袋１を吊り下げて移動している場合においても、結束具１０の開口部１１の周面（枠状体１２の内周面）とレジ袋１の束ねた部分２との間の摩擦力と、結束具１０の自重により、結束具１０は、レジ袋１の束ねた部分２の一定位置に保たれるので、レジ袋１内の物品５を安定保持する上で有効である。結束具１０の背面形状は、図１に示す結束具１０の正面形状と同じであるため、結束具１０を、レジ袋１に装着するとき、所謂、裏表を気にする必要もない。
【００２７】
結束具１０をレジ袋１に装着するときは、物品５が収容されたレジ袋１の束ねた部分２を、その手提げ部３，３側から、結束具１０の開口部１１に挿通し、レジ袋１内の空気を抜きながら結束具１０をレジ袋１の底部４に向かって移動させるだけでよく、レジ袋１内の物品５を取り出す場合は、結束具１０をレジ袋１の手提げ部３，３側へ引き上げれば、レジ袋１から簡単に離脱させることができるので、レジ袋１への着脱も容易である。また、レジ袋１に対する結束具１０の着脱作業は、フランジ部１３を手で掴んで行うことができるので、作業性も良好である。
【００２８】
次に、図４に基づいて、結束具１０のその他の使い方について説明する。図４に示すように、レジ袋１内に飲み物が入ったＰＥＴボトル６を起立姿勢で収容した場合、レジ袋１の束ねた部分２により、起立姿勢にあるＰＥＴボトル６のキャップ６ａの周りを包み込み、キャップ６ａの部分を束ねた部分２ともに、結束具１０の開口部１１に挿通すると、結束具１０は自重により、ＰＥＴボトル６のネック部６ｂの直上部分にて係止される。
【００２９】
これにより、レジ袋１の袋口側の束ねた部分２はキャップ６ａを包み込んだ状態で巾着状に閉止され、レジ袋１内のＰＥＴボトル６（及び物品５）は動かないように拘束されるので、手提げ部３，３を手で握ってレジ袋１を吊り下げたときにおいても、吊り下げ状態にあるレジ袋１内のＰＥＴボトル６は起立姿勢（物品５は水平姿勢）に安定保持することができる。
【００３０】
図１，図３，図４に示すように、結束具１０のフランジ部１３には貫通孔１４が開設されているので、キーホルダの連結リング（図示せず）などを貫通孔１４に挿通すれば、結束具１０を容易に持ち歩くことも可能となり、外出先のコンビニエンスストアなどで購入したレジ袋入りの物品を持ち運ぶときに便利である。
【００３１】
次に、図５〜図１５に基づいて、本発明のその他の実施形態である結束具２０，３０，４０，５０，６０，７０，８０，９０，１００，１１０について説明する。なお、結束具２０，３０，４０，５０，６０，７０，８０，９０，１００，１１０の構成部分において、図１〜図４に示す結束具１０の構成部分と共通する部分については、図１〜図４中の符号と同符号を付して説明を省略する。
【００３２】
図５に示す結束具２０は、枠状体１２の外周に開口部１１の拡径方向に突設されたフランジ部２３を備えている。開口部１１を貫通する方向から見たフランジ部２３の形状は不等辺八角形状である。具体的には、枠状体１２の周りを囲むように、４つの長辺部２３ａと４つの短辺部２３ｂとが交互に配列された不等辺八角形状をなしている。換言すると、正方形の４つの角部をそれぞれの角部を通る対角線と直交する直線で切除したような形状をなしている。
【００３３】
４つの長辺部２３ａは互いに同じ長さであり、それぞれ開口部１１の拡径方向（開口部１１の軸心１１ａから離れる方向）に凸をなす円弧形状である。４つの短辺部２３ｂも互いに同じ長さであり、それぞれ直線形状をなしている。短辺部２３ｂの長さは長辺部２３ａの長さの約２３％〜２４％程度であるが、これに限定するものではない。
【００３４】
図６に示す結束具３０は、枠状体１２の外周に開口部１１の拡径方向に突設されたフランジ部３３を備えている。開口部１１を貫通する方向から見たフランジ部３３の形状は不等辺十角形状である。具体的には、枠状体１２の周りを囲むように、５つの長辺部３３ａと５つの短辺部３３ｂとが交互に配列された不等辺十角形状をなしている。換言すると、正五角形の５つの角部をそれぞれの角部と対向する辺と平行な直線で切除したような形状をなしている。
【００３５】
５つの長辺部３３ａは互いに同じ長さであり、５つの短辺部３３ｂも互いに同じ長さであり、長辺部３３ａ及び短辺部３３ｂはそれぞれ直線形状をなしている。短辺部３３ｂの長さは長辺部３３ａの長さの約２６％〜２７％程度であるが、これに限定するものではない。
【００３６】
図７に示す結束具４０は、枠状体１２の外周に開口部１１の拡径方向に突設されたフランジ部４３を備えている。開口部１１を貫通する方向から見たフランジ部４３の形状は不等辺十二角形状である。具体的には、枠状体１２の周りを囲むように、６つの長辺部４３ａと６つの短辺部４３ｂとが交互に配列された不等辺十二角形状をなしている。換言すると、正六角形の６つの角部をそれぞれの角部を通る対角線と直交する直線で切除したような形状をなしている。
【００３７】
６つの長辺部４３ａは互いに同じ長さであり、６つの短辺部４３ｂも互いに同じ長さであり、長辺部４３ａはそれぞれ軸心１１ａから離れる方向に僅かに膨らんだ円弧形状をなし、短辺部４３ｂはそれぞれ直線形状をなしている。短辺部４３ｂの長さは長辺部４３ａの長さの約２６％〜２７％程度であるが、これに限定するものではない。
【００３８】
図８に示す結束具５０は、枠状体１２の外周に開口部１１の拡径方向に突設されたフランジ部５３を備えている。開口部１１を貫通する方向から見たフランジ部５３の形状は、開口部１１の拡径方向に富士山状に突出する５つの突片部５３ａを軸心１１ａ中心に等間隔に配置した形状である。隣り合う突片部５３ａの間には軸心１１ａに向かって円弧状に凹んだ凹状部５３ｂが形成されている。突片部５３ａの頂上部５３ｃはそれぞれ直線状をなしている。
【００３９】
図９，図１０に示す結束具６０は、枠状体１２の外周１２ａに開口部１１の拡径方向に突設されたフランジ部６３を備えている。開口部１１を貫通する方向から見たフランジ部６３の形状は、開口部１１の軸心１１ａを中心とする円形状をなしている。即ち、枠状体１２の外周１２ａと、フランジ部６３の外周６３ａとは同心円をなしている。フランジ部６３の外周６３ａの外径は、枠状体１２の外周１２ａの外径の約１３７％〜１３８％程度であるが、これに限定するものではない。
【００４０】
図１０に示すように、結束具６０においては、フランジ部６３の外周部分は、開口部１１の軸心１１ａから離れるに連れて徐々に薄くなっていくとともに滑らかに尖った曲面形状をなしている。枠状体１２の厚さは、フランジ部６３の最大厚さ（枠状体１２の外周１２ａに最も近い部分の厚さ）より大である。
【００４１】
図１１に示す結束具７０は、枠状体１２の外周１２ａに開口部１１の拡径方向に突設されたフランジ部７３を備えている。開口部１１を貫通する方向から見たフランジ部７３の形状は、開口部１１の軸心１１ａを中心とする楕円形状をなしている。フランジ部７３の外周７３ａの長径は、枠状体１２の外周１２ａの外径の約１７５％〜１７６％程度であり、フランジ部７３の外周７３ａの短径は枠状体１２の外周１２ａの外径の約１２５％〜１．２６％程度であるが、これに限定するものではない。
【００４２】
図１２に示す結束具８０は、レジ袋１の束ねた部分２（図３参照）が挿通可能な開口部８１を有する略正三角形状の枠状体８２と、枠状体８２の外周８２ａに開口部８１の拡径方向に突設されたフランジ部８３と、を備えている。
【００４３】
開口部８１を貫通する方向から見たフランジ部８３の形状は略正三角形状である。詳しくは、開口部８１を形成する三つの内縁部８１ｂがそれぞれ、開口部８１の軸心８１ａから離れる方向に膨らんだ円弧形状をなしている。枠状体８２の外周８２ａの形状は開口部８１と相似形をなすとともに、軸心８１ａを中心に同位相をなしている。また、開口部８１を貫通する方向から見たフランジ部８３の形状は、図１に示す結束具１０のフランジ部１３と相似形をなしている。
【００４４】
図１３に示す結束具９０は、開口部９１を有する枠状体９２の外周９２ａに、図５に示す結束具２０のフランジ部２３と相似形をなすフランジ部９３が突設されている。開口部９１の形状及び枠状体９２の外周９２ａの形状はそれぞれフランジ部９３と相似形をなすとともに、軸心９１ａを中心に同位相をなしている。
【００４５】
図１４に示す結束具１００は、開口部１０１を有する枠状体１０２の外周１０２ａに、図８に示す結束具５０のフランジ部５３と相似形をなすフランジ部１０３が形成されている。開口部１０１の形状及び枠状体１０２の外周１０２ａの形状はそれぞれフランジ部１０３と相似形をなしている。開口部１０１を貫通する方向から見た枠状体１０２及び開口部１０１の形状は正五角形を形成する各辺がそれぞれ中心に向かって円弧形状に凹んだ形状をなしている。
【００４６】
図１５に示す結束具１１０は、楕円形状の開口部１１１を有する枠状体１１２の外周１１２ａに、開口部１１１の拡径方向に突設された楕円形状のフランジ部１１３を備えている。開口部１１１、枠状体１１２の外周１１２ａ及びフランジ部７３は、開口部１１１の軸心１１１ａを中心として共有する楕円形状をなしている。
【００４７】
なお、図１〜図１２に基づいて説明した結束具１０，２０，３０，４０，５０，６０，７０，８０，９０，１００，１１０は本発明に係る結束具を例示するものであり、本発明に係る結束具は前述した結束具１０，２０，３０，４０，５０，６０，７０，８０，９０，１００，１１０に限定されない。
【産業上の利用可能性】
【００４８】
本発明に係る結束具は、コンビニエンスストアやスーパーマーケットなどの小売店において購入した商品を収容するためのレジ袋などの袋口を閉じる器具として、広く利用することができる。
【符号の説明】
【００４９】
１  レジ袋
２  束ねた部分
３  手提げ部
４  底部
５  物品
６  ＰＥＴボトル
６ａ  キャップ
６ｂ  ネック部
１０，２０，３０，４０，５０，６０，７０，８０，９０，１００，１１０  結束具
１１，８１，９１，１０１，１１１  開口部
１１ａ，８１ａ，９１ａ，１１１ａ  軸心
１２，８２，９２，１０２，１１２  枠状体
１２ａ，６３ａ，７３ａ，８２ａ，９２ａ，１０２ａ  外周
１２ｔ  厚さ
１３，２３，３３，４３，５３，６３，７３，８３，９３，１０３，１１３  フランジ部
１３ａ，２３ａ，３３ａ，４３ａ  長辺部
１３ｂ，２３ｂ，３３ｂ，４３ｂ  短辺部
１３ｔ  最大厚さ
１４  貫通孔
５３ａ  突片部
５３ｂ  凹状部
５３ｃ  頂上部
８１ｂ  内縁部
【図１】
2019011078.tif 000003
【図２】
2019011078.tif 000004
【図３】
2019011078.tif 000005
【図４】
2019011078.tif 000006
【図５】
2019011078.tif 000007
【図６】
2019011078.tif 000008
【図７】
2019011078.tif 000009
【図８】
2019011078.tif 000010
【図９】
2019011078.tif 000011
【図１０】
2019011078.tif 000012
【図１１】
2019011078.tif 000013
【図１２】
2019011078.tif 000014
【図１３】
2019011078.tif 000015
【図１４】
2019011078.tif 000016
【図１５】
2019011078.tif 000017